(57)【特許請求の範囲】
【請求項１】
実験において走査されるべき関心のある検体の数が、デューティサイクル内で走査可能な検体の数を超えており、かつ依然として許容可能なデータ品質を維持している場合に、試料内の検体を分析するシステムであって、
（ａ）該試料からイオンを放射するイオン源と、
（ｂ）該イオン源から該イオンを受容するように適合されている質量分析計であって、該質量分析計は、
（ｉ）該イオン源から受容されたイオンにフィルタをかける第１の質量フィルタと、
（ｉｉ）該第１の質量フィルタから受容されたイオンをフラグメント化するように構成されているイオンフラグメンタと、
（ｉｉｉ）該イオンフラグメンタから受容されたイオンフラグメントにフィルタをかけるように構成されている第２の質量フィルタと、
（ｉｖ）該第２の質量フィルタから受容されたイオンフラグメントを検出するように構成されている少なくとも１つの検出器と
を含む、質量分析計と、
（ｃ）該質量分析計に動作可能に連結された制御器と
を備え、該制御器は、
各サイクルの間にデューティサイクルリスト内に格納されたイオンに対して該イオン源から放射されたイオンに選択的にフィルタをかけることであって、該フィルタをかけることは、該デューティサイクルリスト上の前駆イオンに対してフィルタをかけるように該第１の質量フィルタを制御し、該デューティサイクルリスト上の対応するフラグメントイオンに対してフィルタをかけるように該第２の質量フィルタを制御することによって行う、ことと、
各サイクルに対して、該デューティサイクルリスト上のイオンの数を制限することであって、該イオンの数を制限することは、
該デューティサイクルリストに対して、現在のサイクル時間を含むトリガ時間ウィンドウを有する１つ以上の格納されたトリガデータセットからのトリガ前駆イオンおよび対応するトリガフラグメントイオンを追加することと、
該デューティサイクルリストから、該現在のサイクル時間を含まないトリガ時間ウィンドウを有するトリガ前駆イオンおよび対応するトリガフラグメントイオンを除去することと、
該検出器によってトリガフラグメントイオンが検出された場合には、該デューティサイクルリストに対して、該検出されたトリガフラグメントイオンのトリガデータセットによって指定された１つ以上の格納された確認データセットからの任意の確認前駆イオンおよび対応する確認フラグメントイオンを追加することと、
該デューティサイクルリストから、該現在のサイクル時間を含まない検出されたトリガフラグメントイオンのトリガデータセットによって指定されたトリガ時間ウィンドウを有する確認前駆イオンおよび対応する確認フラグメントイオンを除去することと
によって行う、ことと
を行い、
トリガデータセットは、少なくとも１つのトリガエントリを有し、各トリガエントリは、
（ｉ）指定されたトリガイオンと、
（ｉｉ）指定されたトリガイオンフラグメントと、
（ｉｉｉ）トリガ時間ウィンドウと、
（ｉｖ）確認データセットと
を含み、
各確認データセットは、少なくとも１つの確認エントリを有し、各確認エントリは、
（ｉ）指定された確認イオンと、
（ｉｉ）指定された確認イオンフラグメントと
を含む、システム。
【請求項２】
前記制御器に動作可能に連結されたデータ記憶装置をさらに備え、該データ記憶装置は、前記検出器によって検出された前記イオンフラグメントに対応するデータを格納するように構成されている、請求項１に記載のシステム。
【請求項３】
前記トリガデータセットは、複数のトリガエントリを備えている、請求項１に記載のシステム。
【請求項４】
少なくとも１つの確認データセットは、複数の確認エントリを備えている、請求項１に記載のシステム。
【請求項５】
前記イオン源は、液体クロマトグラフを備えている、請求項１に記載のシステム。
【請求項６】
前記イオン源は、ＭＡＬＤＩイオン化源を備えている、請求項１に記載のシステム。
【請求項７】
少なくとも１つのトリガエントリは、複数のトリガイオンフラグメントを備えている、請求項１に記載のシステム。
【請求項８】
実験において走査されるべき関心のあるイオンの数が、デューティサイクル内で走査可能な検体の数を超えており、かつ依然として許容可能なデータ品質を維持している場合に、イオン源から放射されるイオンを分析するシステムであって、該システムは、
（ａ）該イオン源からのイオンを受容し、フィルタをかけるように適合されている第１の質量フィルタと、
（ｂ）該第１の質量フィルタから受容されたイオンをフラグメント化するように構成されているイオンフラグメンタと、
（ｃ）該イオンフラグメンタから受容されたイオンフラグメントにフィルタをかけるように構成されている第２の質量フィルタと、
（ｄ）該第２の質量フィルタから受容されたイオンフラグメントを検出するように構成されている検出器と、
（ｅ）該第１および第２の質量フィルタ、該フラグメンタおよび該検出器に動作可能に連結された制御器と
を備え、該制御器は、
各サイクルの間にデューティサイクルリスト内に格納されたイオンに対して該イオン源から放射されたイオンに選択的にフィルタをかけることであって、該フィルタをかけることは、該デューティサイクルリスト上の前駆イオンに対してフィルタをかけるように該第１の質量フィルタを制御し、該デューティサイクルリスト上の対応するフラグメントイオンに対してフィルタをかけるように該第２の質量フィルタを制御することによって行う、ことと、
各サイクルに対して、該デューティサイクルリスト上のイオンの数を制限することであって、該イオンの数を制限することは、
該デューティサイクルリストに対して、現在のサイクル時間を含むトリガ時間ウィンドウを有する１つ以上の格納されたトリガデータセットからのトリガ前駆イオンおよび対応するトリガフラグメントイオンを追加することと、
該デューティサイクルリストから、該現在のサイクル時間を含まないトリガ時間ウィンドウを有するトリガ前駆イオンおよび対応するトリガフラグメントイオンを除去することと、
該検出器によってトリガフラグメントイオンが検出された場合には、該デューティサイクルリストに対して、該検出されたトリガフラグメントイオンのトリガデータセットによって指定された１つ以上の格納された確認データセットからの任意の確認前駆イオンおよび対応する確認フラグメントイオンを追加することと、
該デューティサイクルリストから、該現在のサイクル時間を含まない検出されたトリガフラグメントイオンのトリガデータセットによって指定されたトリガ時間ウィンドウを有する確認前駆イオンおよび対応する確認フラグメントイオンを除去することと
によって行う、ことと
を行い、
トリガデータセットは、少なくとも１つのトリガエントリを有し、各トリガエントリは、
（ｉ）指定されたトリガイオンと、
（ｉｉ）指定されたトリガイオンフラグメントと、
（ｉｉｉ）トリガ時間ウィンドウと、
（ｉｖ）各トリガエントリのための確認データセットと
を含み、
各確認データセットは、少なくとも１つの確認エントリを有し、各確認エントリは、
（ｉ）指定された確認イオンと、
（ｉｉ）指定された確認イオンフラグメントと
を含む、システム。
【請求項９】
前記制御器に動作可能に連結されたデータ記憶装置をさらに備え、該データ記憶装置は、前記検出器によって検出された前記イオンフラグメントに対応するデータを格納するように構成されている、請求項８に記載のシステム。
【請求項１０】
前記トリガデータセットは、複数のトリガエントリを備えている、請求項８に記載のシステム。
【請求項１１】
少なくとも１つの確認データセットは、複数の確認エントリを備えている、請求項８に記載のシステム。
【請求項１２】
実験において走査されるべき関心のある検体の数が、デューティサイクル内で走査可能な検体の数を超えており、かつ依然として許容可能なデータ品質を維持している場合に、試料内の検体を分析する方法であって、
（ａ）該試料からイオンを放射することと、
（ｂ）各サイクルの間にデューティサイクルリスト内に格納されたイオンに対してイオン源から放射されたイオンに選択的にフィルタをかけることであって、該フィルタをかけることは、該デューティサイクルリスト上の前駆イオンに対してフィルタをかけるように第１の質量フィルタを制御し、該デューティサイクルリスト上の対応するフラグメントイオンに対してフィルタをかけるように第２の質量フィルタを制御することによって行う、ことと、
（ｃ）各サイクルに対して、該デューティサイクルリスト上のイオンの数を制限することであって、該イオンの数を制限することは、
該デューティサイクルリストに対して、現在のサイクル時間を含むトリガ時間ウィンドウを有する１つ以上の格納されたトリガデータセットからのトリガ前駆イオンおよび対応するトリガフラグメントイオンを追加することと、
該デューティサイクルリストから、該現在のサイクル時間を含まないトリガ時間ウィンドウを有するトリガ前駆イオンおよび対応するトリガフラグメントイオンを除去することと、
検出器によってトリガフラグメントイオンが検出された場合には、該デューティサイクルリストに対して、該検出されたトリガフラグメントイオンのトリガデータセットによって指定された１つ以上の格納された確認データセットからの任意の確認前駆イオンおよび対応する確認フラグメントイオンを追加することと、
該デューティサイクルリストから、該現在のサイクル時間を含まない検出されたトリガフラグメントイオンのトリガデータセットによって指定されたトリガ時間ウィンドウを有する確認前駆イオンおよび対応する確認フラグメントイオンを除去することと
によって行う、ことと
を含み、
トリガデータセットは、少なくとも１つのトリガエントリを有し、各トリガエントリは、
指定されたトリガイオンと、
指定されたトリガイオンフラグメントと、
トリガ時間ウィンドウと、
確認データセットと
を含み、
各確認データセットは、少なくとも１つの確認エントリを有し、各確認エントリは、
指定された確認イオンと、
指定された確認イオンフラグメントと
を含む、方法。
【請求項１３】
指定されたトリガイオンが前記試料から放射されることが予期される時間期間に対応するように、トリガ時間ウィンドウが選択される、請求項１２に記載の方法。
【請求項１４】
前記検出された指定されたトリガイオンフラグメントおよび確認イオンフラグメントに対応するデータを含む報告を作成することをさらに包含する、請求項１２に記載の方法。
【請求項１５】
（ａ）は、液体クロマトグラフィを用いて行われる、請求項１２に記載の方法。
【請求項１６】
コンピュータ制御器を有する質量分析計に請求項１２に記載の方法を行わせるように構成されているコンピュータ読み取り可能媒体。
【請求項１７】
各確認エントリは、タイミングデータをさらに含む、請求項１に記載のシステム。
【請求項１８】
前記タイミングデータは、確認時間ウィンドウを含み、該確認時間ウィンドウは、各確認エントリを含むトリガデータセットのトリガ時間ウィンドウ内であるか、該トリガ時間ウィンドウ未満であるか、または該トリガ時間ウィンドウに等しく、前記制御器は、各サイクルに対して、前記デューティサイクルリスト上のイオンの数をさらに制限し、該イオンの数をさらに制限することは、該デューティサイクルリストから、前記現在のサイクル時間を含まない確認時間ウィンドウを有する確認前駆イオンおよび対応する確認フラグメントイオンを除去することによって行う、請求項１７に記載のシステム。
【請求項１９】
前記タイミングデータは、確認時間ウィンドウ遅延を含み、前記制御器は、各サイクルに対して、前記デューティサイクルリスト上のイオンの数をさらに制限し、該イオンの数をさらに制限することは、トリガフラグメントイオンが前記検出器によって検出された場合に、１つ以上の格納された確認データセットによって指定された１つ以上の確認時間ウィンドウ遅延の後に、該デューティサイクルリストに対して、該検出されたトリガフラグメントイオンのトリガデータセットによって指定された１つ以上の格納された確認データセットからの任意の確認前駆イオンおよび対応する確認フラグメントイオンを追加することによって行う、請求項１７に記載のシステム。
【請求項２０】
各確認エントリは、タイミングデータをさらに含む、請求項８に記載のシステム。
【請求項２１】
前記タイミングデータは、確認時間ウィンドウを含み、該確認時間ウィンドウは、各確認エントリを含むトリガデータセットのトリガ時間ウィンドウ内であるか、該トリガ時間ウィンドウ未満であるか、または該トリガ時間ウィンドウに等しく、前記制御器は、各サイクルに対して、前記デューティサイクルリスト上のイオンの数をさらに制限し、該イオンの数をさらに制限することは、該デューティサイクルリストから、前記現在のサイクル時間を含まない確認時間ウィンドウを有する確認前駆イオンおよび対応する確認フラグメントイオンを除去することによって行う、請求項２０に記載のシステム。
【請求項２２】
前記タイミングデータは、確認時間ウィンドウ遅延を含み、前記制御器は、各サイクルに対して、前記デューティサイクルリスト上のイオンの数をさらに制限し、該イオンの数をさらに制限することは、トリガフラグメントイオンが前記検出器によって検出された場合に、１つ以上の格納された確認データセットによって指定された１つ以上の確認時間ウィンドウ遅延の後に、該デューティサイクルリストに対して、該検出されたトリガフラグメントイオンのトリガデータセットによって指定された１つ以上の格納された確認データセットからの任意の確認前駆イオンおよび対応する確認フラグメントイオンを追加することによって行う、請求項２０に記載のシステム。
【請求項２３】
各確認エントリは、タイミングデータをさらに含む、請求項１２に記載の方法。
【請求項２４】
前記タイミングデータは、確認時間ウィンドウを含み、該確認時間ウィンドウは、各確認エントリを含むトリガデータセットのトリガ時間ウィンドウ内であるか、該トリガ時間ウィンドウ未満であるか、または該トリガ時間ウィンドウに等しく、制御器は、各サイクルに対して、前記デューティサイクルリスト上のイオンの数をさらに制限し、該イオンの数をさらに制限することは、該デューティサイクルリストから、前記現在のサイクル時間を含まない確認時間ウィンドウを有する確認前駆イオンおよび対応する確認フラグメントイオンを除去することによって行う、請求項２３に記載の方法。
【請求項２５】
前記タイミングデータは、確認時間ウィンドウ遅延を含み、制御器は、各サイクルに対して、前記デューティサイクルリスト上のイオンの数をさらに制限し、該イオンの数をさらに制限することは、トリガフラグメントイオンが前記検出器によって検出された場合に、１つ以上の格納された確認データセットによって指定された１つ以上の確認時間ウィンドウ遅延の後に、該デューティサイクルリストに対して、該検出されたトリガフラグメントイオンのトリガデータセットによって指定された１つ以上の格納された確認データセットからの任意の確認前駆イオンおよび対応する確認フラグメントイオンを追加することによって行う、請求項２３に記載の方法。
【発明の詳細な説明】
【技術分野】
【０００１】
（分野）
本出願は、概して質量分析法の分野に関する。
【背景技術】
【０００２】
（背景）
物質の組成を決定するための物質の分析は、毒物学、犯罪科学および環境試験ならびに食品および薬品の研究を含む多くの用途に必要であり得る。しばしば、分析されるべき試料は、関心のある多数の異なる検体の存在に対して分析される。そのような試料は、例えば被験者からとられた体液の形態であり得、その流体は、しばしば関心のある薬品代謝物と被験者からの無関係の内生イオンとの両方含む。複合の物質から関心のある多数の検体の有無を正しく決定することは、困難であり、時間の掛かることであり得る。
【０００３】
試料の組成を見つけ、試料の質量スペクトルを生成するために、質量分析計がしばしば用いられる。これは、通常、試料をイオン化し、異なる質量のイオンを分離し、そしてイオンフラックスの強度を測定することによるイオンの相対的存在度を記録することによって、達成される。例えば、飛行時間質量分析計を用いて、イオンは所定の飛行経路を進むようにパルス化される。イオンは次いで、その後検出器によって記録される。イオンが検出器に到着するのに要する時間量、すなわち「飛行時間」は、イオンの質量／電荷数、すなわちｍ／ｚを計算するために用いられ得る。
【０００４】
（イオンの前駆体質量の他に）さらなる情報は次いで、衝突セル（または他の手段）においてＣＩＤ（衝突誘導解離）によってイオンをフラグメント化することによって得られ得、ＭＳＭＳスペクトルを生成し得る。ＭＳＭＳ機能を有するほとんどの器具において、質量スペクトルを生成し、前駆イオンを選択し、ＭＳＭＳ（質量スペクトル／質量スペクトル）スペクトルを生成するプロセスは、自動モードで実行され得る。この獲得のモードは、しばしば、情報依存獲得（Ｉｎｆｏｒｍａｔｉｏｎ  Ｄｅｐｅｎｄａｎｔ  Ａｃｑｕｉｓｉｔｉｏｎ）（ＩＤＡ）またはデータ依存実験（Ｄａｔａ  Ｄｅｐｅｎｄａｎｔ  Ｅｘｐｅｒｉｍｅｎｔ）（ＤＤＥ）と呼ばれる。
【０００５】
液体クロマトグラフなどのクロマトグラフ装置は、ある時間の期間にわたり試料から質量分析計にイオンを溶離するかまたは放出するために用いられ得る。複数の反応モニタリング（ＭＲＭ）または他の分布分析技術および再帰的技術は、質量分析計によって受け取られるイオンを分析するために用いられ得る。
【０００６】
以前のＭＲＭ技術は、関心のある所定の検体に対して質量分析計による繰返し周期の走査を含む。「デューティサイクル」は、質量分析計によって「反復され（ｃｙｃｌｅｄ  ｔｈｒｏｕｇｈ）」、走査されるべき検体のリストを含む。ＭＲＭ分析中、質量分析計は、デューティサイクルにおいて関心のある検体の間に等しく質量分析計の走査を分割する。その結果、そのようなデューティサイクルは、走査され得る検体の数において実用上の上限を有する。検体の数が大きくなりすぎると（例えば、いくつかの質量分析計は、許容可能データ品質を維持するために、わずか５０個の関心のある検体を有することを必要とする）、各関心のある検体に利用可能な走査時間量は、正確なデータを提供するのに不十分である。
【０００７】
従って出願人は、試料からイオンを分析しそして識別するシステムおよび方法に対する必要性を認識した。
【発明の概要】
【課題を解決するための手段】
【０００８】
（概要）
一局面において、本技術は、試料における検体を分析するシステムに関する。システムは、試料からイオンを放射するイオン源と、イオン源からイオンを受容するように適合されている質量分析計と、質量分析計に動作可能に連結された制御器であって、制御器は、第１の質量フィルタを制御し、指定された関心のあるイオンにフィルタをかけることと、第２の質量フィルタを制御し、指定された関心のあるイオンフラグメントにフィルタをかけることとを行うように構成されている、制御器と、少なくとも１つのトリガエントリを有するトリガデータセットとを備えている。本明細書において用いられるような「イオンフラグメント」は、代わりに「フラグメントイオン」と呼ばれ得ることは理解されるべきである。
【０００９】
質量分析計は、イオン源から受容されたイオンにフィルタをかける第１の質量フィルタと、第１の質量フィルタから受容されたイオンをフラグメント化するように構成されているイオンフラグメンタと、イオンフラグメンタから受容されたイオンフラグメントにフィルタをかけるように構成されている第２の質量フィルタと、第２の質量フィルタから受容されたイオンフラグメントを検出するように構成されている少なくとも１つの検出器とを含む。同様に、各トリガエントリは、指定されたトリガイオンと、指定されたトリガイオンフラグメントと、トリガ時間ウィンドウと、確認データセットとを含む。同様に、各確認データセットは、少なくとも１つの確認エントリを有し、各確認エントリは、指定された確認イオンと、指定された確認イオンフラグメントとを含む。制御器は、トリガデータセットに応答し、各トリガエントリに対するトリガ時間ウィンドウの間、制御器は、第１の質量フィルタを制御し、対応する指定されたトリガイオンにフィルタをかけることと、第２の質量フィルタを制御し、対応する指定されたトリガイオンフラグメントにフィルタをかけることとを行うように構成される。さらに、検出器によって、指定されたトリガイオンフラグメントが検出されると、制御器は、第１の質量フィルタを制御し、指定された確認イオンにフィルタをかけることと、第２の質量フィルタを制御し、指定された確認イオンフラグメントにフィルタをかけることとを行うように構成されている。
【００１０】
システムはまた、制御器に動作可能に連結されたデータ記憶装置を含み、データ記憶装置は、検出器によって検出されたイオンフラグメントに対応するデータを格納するように構成されている。同様に、トリガデータセットは、複数のトリガエントリを備え得る。その上、少なくとも１つの確認データセットは、複数の確認エントリを備え得る。さらに、イオン源は、液体クロマトグラフを備え得る。
【００１１】
別の局面において、技術は、イオン源から放射されるイオンを分析するシステムに関する。システムは、イオン源からイオンを受容し、イオン源からのイオンにフィルタをかけるように適合されている第１の質量フィルタと、第１の質量フィルタから受容されたイオンをフラグメント化するように構成されているイオンフラグメンタと、イオンフラグメンタから受容されたイオンフラグメントにフィルタをかけるように構成されている第２の質量フィルタと、第２の質量フィルタから受容されたイオンフラグメントを検出するように構成されている検出器とを備えている。システムはまた、第１および第２の質量フィルタ、フラグメンタおよび検出器に動作可能に連結された制御器であって、制御器は、第１の質量フィルタを制御し、指定された関心のあるイオンにフィルタをかけることと、第２の質量フィルタを制御し、指定された関心のあるイオンフラグメントにフィルタをかけることとを行うように構成されている、制御器と、少なくとも１つのトリガエントリを有するトリガデータセットと、各トリガエントリのための確認データセットとを含む。各トリガエントリは、指定されたトリガイオンと、指定されたトリガイオンフラグメントと、トリガ時間ウィンドウとを含む。各確認データセットは、少なくとも１つの確認エントリを有し、各確認エントリは、指定された確認イオンと、指定された確認イオンフラグメントとを含む。
【００１２】
制御器は、トリガデータセットおよび確認データセットに応答し、各トリガエントリに対するトリガ時間ウィンドウの間、制御器は、第１の質量フィルタを制御し、対応する指定されたトリガイオンにフィルタをかけることと、第２の質量フィルタを制御し、対応する指定されたトリガイオンフラグメントにフィルタをかけることとを行うように構成される。検出器によって、指定されたトリガイオンフラグメントが検出されると、制御器は、第１の質量フィルタを制御し、指定された確認イオンにフィルタをかけることと、第２の質量フィルタを制御し、指定された確認イオンフラグメントにフィルタをかけることとを行うように構成されている。
【００１３】
システムはまた、制御器に動作可能に連結されたデータ記憶装置を備え得、データ記憶装置は、検出器によって検出されたイオンフラグメントに対応するデータを格納するように構成されている。同様に、トリガデータセットは、複数のトリガエントリを備え得る。さらに、いくつかの場合において、少なくとも１つの確認データセットは、複数の確認エントリを備えている。
【００１４】
なおもさらなる局面において、本技術は、試料を分析する方法に関し、方法は、試料からイオンを放射することと、少なくとも１つの指定されたトリガイオンに対して放射されたイオンに選択可能にフィルタをかけることと、指定されたトリガイオンをフラグメント化することと、指定されたトリガイオンフラグメントに対して走査することと、指定されたトリガイオンフラグメントを検出すると、少なくとも１つの確認イオンフラグメントに対して走査することとを包含する。
【００１５】
方法はまた、指定されたトリガイオンに対応するトリガ時間ウィンドウ中に、フィルタリングと、フラグメント化と、走査と、検出および走査とを行うことを含み得る。トリガイオンが試料から放射されることが予期されるとき、トリガ時間ウィンドウは時間期間に応じて選択され得る。
【００１６】
フィルタリング、フラグメント化、走査、および検出および走査は、複数のトリガ時間ウィンドウ中に複数の指定されたトリガイオンに対して行われ得、各トリガ時間ウィンドウは指定されたトリガイオンに対応し得る。対応するトリガイオンが試料から放射されることが予期されるとき、各トリガ時間ウィンドウは、時間期間に応じて選択され得る。いくつかの場合において、走査は、少なくとも２つの異なる指定されたトリガイオンフラグメントに対して実質的に同時に行なわれ得る。
【００１７】
方法は、検出された指定されたトリガイオンフラグメントおよび確認イオンフラグメントに対応するデータを含む報告を作成することをさらに包含し得る。
【００１８】
いくつかの場合において、方法は、イオンを放射するために液体クロマトグラフィを用いることを含み得る。
【００１９】
別の局面において、本発明は、コンピュータ制御器を有する質量分析計に方法を行わせるように構成されるコンピュータ読み取り可能媒体に関する場合がある。
【００２０】
本明細書は、例えば、以下を提供する。
（項目１）
試料内の検体を分析するシステムであって、
（ａ）該試料からイオンを放射するイオン源と、
（ｂ）該イオン源から該イオンを受容するように適合されている質量分析計であって、該質量分析計は、
（ｉ）該イオン源から受容されたイオンにフィルタをかける第１の質量フィルタと、
（ｉｉ）該第１の質量フィルタから受容されたイオンをフラグメント化するように構成されているイオンフラグメンタと、
（ｉｉｉ）該イオンフラグメンタから受容されたイオンフラグメントにフィルタをかけるように構成されている第２の質量フィルタと、
（ｉｖ）該第２の質量フィルタから受容されたイオンフラグメントを検出するように構成されている少なくとも１つの検出器と
を含む、質量分析計と、
（ｃ）該質量分析計に動作可能に連結された制御器であって、該制御器は、該第１の質量フィルタを制御し、指定された関心のあるイオンにフィルタをかけることと、該第２の質量フィルタを制御し、指定された関心のあるイオンフラグメントにフィルタをかけることとを行うように構成されている、制御器と、
（ｄ）少なくとも１つのトリガエントリを有するトリガデータセットであって、各トリガエントリは、
（ｉ）指定されたトリガイオンと、
（ｉｉ）指定されたトリガイオンフラグメントと、
（ｉｉｉ）トリガ時間ウィンドウと、
（ｉｖ）確認データセットと
を含む、トリガデータセットと
を備え、
（ｅ）各確認データセットは、少なくとも１つの確認エントリを有し、各確認エントリは、
（ｉ）指定された確認イオンと、
（ｉｉ）指定された確認イオンフラグメントと
を含み、
（ｆ）該制御器は、該トリガデータセットに応答し、各トリガエントリに対するトリガ時間ウィンドウの間、該制御器は、該第１の質量フィルタを制御し、対応する指定されたトリガイオンにフィルタをかけることと、該第２の質量フィルタを制御し、対応する指定されたトリガイオンフラグメントにフィルタをかけることとを行うように構成され、
（ｇ）該検出器によって、該指定されたトリガイオンフラグメントが検出されると、該制御器は、該第１の質量フィルタを制御し、指定された確認イオンにフィルタをかけることと、該第２の質量フィルタを制御し、指定された確認イオンフラグメントにフィルタをかけることとを行うように構成されている、
システム。
（項目２）
上記制御器に動作可能に連結されたデータ記憶装置をさらに備え、該データ記憶装置は、上記検出器によって検出された上記イオンフラグメントに対応するデータを格納するように構成されている、項目１に記載のシステム。
（項目３）
上記トリガデータセットは、複数のトリガエントリを備えている、項目１に記載のシステム。
（項目４）
少なくとも１つの確認データセットは、複数の確認エントリを備えている、項目１に記載のシステム。
（項目５）
上記イオン源は、液体クロマトグラフを備えている、項目１に記載のシステム。
（項目６）
上記イオン源は、ＭＡＬＤＩイオン化源を備えている、項目１に記載のシステム。
（項目７）
少なくとも１つのトリガエントリは、複数のトリガイオンフラグメントを備えている、項目１に記載のシステム。
（項目８）
イオン源から放射されるイオンを分析するシステムであって、該システムは、
（ａ）該イオン源からのイオンを受容し、フィルタをかけるように適合されている第１の質量フィルタと、
（ｂ）該第１の質量フィルタから受容されたイオンをフラグメント化するように構成されているイオンフラグメンタと、
（ｃ）該イオンフラグメンタから受容されたイオンフラグメントにフィルタをかけるように構成されている第２の質量フィルタと、
（ｄ）該第２の質量フィルタから受容されたイオンフラグメントを検出するように構成されている検出器と、
（ｅ）該第１および第２の質量フィルタ、該フラグメンタおよび該検出器に動作可能に連結された制御器であって、該制御器は、該第１の質量フィルタを制御し、指定された関心のあるイオンにフィルタをかけることと、該第２の質量フィルタを制御し、指定された関心のあるイオンフラグメントにフィルタをかけることとを行うように構成されている、制御器と、
（ｆ）少なくとも１つのトリガエントリを有するトリガデータセットであって、各トリガエントリは、
（ｉ）指定されたトリガイオンと、
（ｉｉ）指定されたトリガイオンフラグメントと、
（ｉｉｉ）トリガ時間ウィンドウと
を含む、トリガデータセットと、
（ｇ）各トリガエントリのための確認データセットであって、各確認データセットは、少なくとも１つの確認エントリを有し、各確認エントリは、
（ｉ）指定された確認イオンと、
（ｉｉ）指定された確認イオンフラグメントと
を含み、
（ｈ）該制御器は、該トリガデータセットおよび該確認データセットに応答し、各トリガエントリに対するトリガ時間ウィンドウの間、該制御器は、該第１の質量フィルタを制御し、対応する指定されたトリガイオンにフィルタをかけることと、該第２の質量フィルタを制御し、対応する指定されたトリガイオンフラグメントにフィルタをかけることとを行うように構成され、
（ｉ）該検出器によって、該指定されたトリガイオンフラグメントが検出されると、該制御器は、該第１の質量フィルタを制御し、該指定された確認イオンにフィルタをかけることと、該第２の質量フィルタを制御し、該指定された確認イオンフラグメントにフィルタをかけることとを行うように構成されている、システム。
（項目９）
上記制御器に動作可能に連結されたデータ記憶装置をさらに備え、該データ記憶装置は、上記検出器によって検出された上記イオンフラグメントに対応するデータを格納するように構成されている、項目８に記載のシステム。
（項目１０）
上記トリガデータセットは、複数のトリガエントリを備えている、項目８に記載のシステム。
（項目１１）
少なくとも１つの確認データセットは、複数の確認エントリを備えている、項目８に記載のシステム。
（項目１２）
試料を分析する方法であって、
（ａ）該試料からイオンを放射することと、
（ｂ）少なくとも１つの指定されたトリガイオンに対して該放射されたイオンに選択可能にフィルタをかけることと、
（ｃ）該指定されたトリガイオンをフラグメント化することと、
（ｄ）指定されたトリガイオンフラグメントに対して走査することと、
（ｅ）該指定されたトリガイオンフラグメントを検出すると、少なくとも１つの確認イオンフラグメントに対して走査することと
を包含する、方法。
（項目１３）
（ｂ）〜（ｅ）は、上記指定されたトリガイオンに対応するトリガ時間ウィンドウ中に行われる、項目１２に記載の方法。
（項目１４）
上記トリガイオンが上記試料から放射されることが予期されるとき、上記トリガ時間ウィンドウは時間期間に応じて選択される、項目１３に記載の方法。
（項目１５）
（ｂ）〜（ｅ）は、複数のトリガ時間ウィンドウであって、各トリガ時間ウィンドウは指定されたトリガイオンに対応する、複数のトリガ時間ウィンドウ中に複数の指定されたトリガイオンに対して行われる、項目１２に記載の方法。
（項目１６）
上記対応するトリガイオンが上記試料から放射されることが予期されるとき、各トリガ時間ウィンドウは時間期間に応じて選択される、項目１５に記載の方法。
（項目１７）
上記方法中に（ｄ）は、少なくとも２つの異なる指定されたトリガイオンフラグメントに対して実質的に同時に行われる、項目１５に記載の方法。
（項目１８）
上記検出された指定されたトリガイオンフラグメントおよび確認イオンフラグメントに対応するデータを含む報告を作成することをさらに包含する、項目１２に記載の方法。
（項目１９）
（ａ）は、液体クロマトグラフィを用いて行われる、項目１２に記載の方法。
（項目２０）
コンピュータ制御器を有する質量分析計に項目１２に記載の方法を行わせるように構成されているコンピュータ読み取り可能媒体。
本発明は、以下の図面を参照して例としてここで説明され、図面において、同じ参照番号は同じ部品をいう。
【図面の簡単な説明】
【００２１】
【図１】図１は、本開示に従って作られた質量分析計の概略図である。
【図２】図２は、図１の質量分析計のデータ記憶装置に格納され得るようなトリガデータセットの代表的な例である。
【図３Ａ】図３Ａは、図１の質量分析計のデータ記憶装置に格納され得るような第１の確認データセットの代表的な例である。
【図３Ｂ】図３Ｂは、図１の質量分析計のデータ記憶装置に格納され得るような第２の確認データセットの代表的な例である。
【図４Ａ】図４Ａは、分析中の第１の時に、本例では分析期間の最初にまたは最初の近くで、図１の質量分析計のデータ記憶装置に格納され得るようなデューティサイクルリスティングの代表的な例である。
【図４Ｂ】図４Ｂは、図４Ａのデューティサイクルリスティングが更新された後、分析中の第２の時に、図１の質量分析計のデータ記憶装置に格納され得るようなデューティサイクルリスティングの代表的な例である。
【図５】図５は、本開示に従う、化合物を分析する方法のステップを例示するフロー図である。
【発明を実施するための形態】
【００２２】
（詳細な説明）
図１を参照すると、そこに例示されているのは、本開示に従って作られ、全体的に１０として参照される分析システムである。システム１０は、理解されるように、好ましくは本開示に従って情報依存収集（ＩＤＡ）を実行することが可能であるように構成される。
【００２３】
分析システム１０は、質量分析計１１を含む（質量分析計１１は、Ａｐｐｌｉｅｄ  Ｂｉｏｓｙｔｅｍｓ／ＭＤＳ  ＳＣＩＥＸによって販売される４０００ＱＴＲＡＰ  ＬＣ／ＭＳ／ＭＳ  Ｓｙｓｔｅｍなどの四極ハイブリッド線形イオントラップなどのＭＳ／ＭＳシステムであり得る）。分析計１１は、適切にプログラムされた制御器、または、ＲＡＭに格納されるか、もしくはクロックモジュール１８を含み得る他の適切なコンピュータ読み取り可能媒体に格納されるプログラムされたＭＲＭトリガエンジン１４を有する中央処理装置（ＣＰＵ）１２を備えている。入力／出力（Ｉ／Ｏ）デバイス１６（典型的には、キーボードまたは制御ボタンなどの入力構成要素１６Ａ、およびディスプレイ１６Ｂなどの出力構成要素を含む）はまた、ＣＰＵ１２に動作可能に連結される。データ記憶装置１７もまた好ましくは備えられる。
【００２４】
システム１０はまた、分析されるべき試料２１から生成されるイオンを放射するように構成されるイオン源２０を含む。理解されるように、イオン源２０は、例えば電子衝撃化学イオン化などの連続イオン源、もしくは電界イオン化イオン源（これは、気体クロマトグラフィ源に接続して用いられ得る）、または電気噴霧もしくは大気圧化学イオン化イオン源（これは、液体クロマトグラフィ源に接続して用いられ得る）、または脱離電気噴霧イオン化（ＤＥＳＩ）、またはレーザ脱離イオン化源であり得る。マトリックス支援レーザ脱離イオン化法（ＭＡＬＤＩ）などのレーザ脱離イオン化源は、典型的には、イオンのパルスビームが放射される一連のパルスを生成し得る。
【００２５】
イオン源２０はまた、当該分野において周知であるように、多極イオンガイド、リングガイド、もしくは四極質量フィルタなどのイオン質量フィルタなどのイオン伝達イオンガイド、またはイオントラッピングデバイス（図示されていない）が備えられ得る。簡潔にするために、用語イオン源２０は、試料２１からイオンを生成し、検出のために関心のある検体イオンを放射する構成要素を説明するために用いられた。タンデム質量フィルタとイオントラップとを有するシステムなどの他のタイプのイオン源２０もまた用いられ得る。好ましいイオン源は、何回かの範囲にわたり試料２１からイオンを放射して、ＭＲＭまたは他の適切な技術を用いる質量分析計１１によって再帰的質量分析を可能にするイオン源である。
【００２６】
理解されるように、液体クラマトグラフィは、試料２１において溶媒に溶解したイオンを他の物質から分離し、ＭＳ分析のためにそのようなイオンを放出または放射するために用いられ得る。ＬＣ位相中に起る化学的相互作用の異なるタイミングの結果、反応生成物（関心のあるイオンまたは検体を含む）は、時間の経過に従い放出される。特定の検体の放出回数は、予想される化学的相互作用に基づき推定され得る。
【００２７】
上記のように、分析計１１は、３つのロッドセットＱ１、Ｑ２およびＱ３を有する三重の四極質量分析計を備え得る。ロッドセットＱ１およびＱ３は、プロセッサ１２によって（トリガエンジン１４を介して）制御され得、特定のｍ／ｚを有するイオンを選択し得るかまたは特定のイオンｍ／ｚを有するイオンにフィルタをかけ得る。対照的に、Ｑ２ロッドセットは、チャンバが備えられ、衝突セルまたはＱ１から受容されたイオンをフラグメント化するフラグメンタとして動作するように構成される。結果として生じるイオンフラグメントは、検出器２２によって検出されるかまたは記録される前に、ロッドセットＱ３を通過し、ロッドセットＱ３によって選択的にフィルタをかけられ得る。
【００２８】
光学系２４または静電レンズなどの他の焦点合わせ要素はまた、検出器２２にイオンを集中させるために、典型的にはＱ３ロッドセットと検出器２２との間の、放射されたイオンの経路に配置され得る。
【００２９】
ここで図２を参照すると、そこに例示されているのは、データ記憶装置１７に格納され得るようなトリガデータセット２００の代表的な例である。トリガデータセット２００は、少なくとも１つのトリガエントリ２０２を含み、各トリガエントリ２０２は、少なくとも１つのｍ／ｚ値であって、そのようなｍ／ｚ値の各々は指定されたトリガイオン２０４に対応する、少なくとも１つのｍ／ｚ値と、少なくとも１つのｍ／ｚ値であって、そのようなｍ／ｚ値の各々は指定されたトリガイオンフラグメント２０６に対応する、少なくとも１つのｍ／ｚ値と、トリガ時間ウィンドウ２０８に対応するタイミングデータと、確認データセット３００にリンクを提供する固有の識別子データ２１０などのリンキングデータとを含む。理解されるように、各確認データセット３００は、唯一の指定されたトリガイオン２０４／フラグメント２０６カプレットに特有の方法でリンクされることを必要としない。バックグラウンドノイズまたは他の妨害の場合などのいくつかの例において、理解されるように、対応する確認データセット３００がフィルタをかけられる前に、２つ以上のトリガイオン２０４／フラグメント２０６カプレットが検出されるようにすることが望ましい場合がある。
【００３０】
また、理解されるように、対応する指定されたトリガイオン２０４が試料２１からイオン源２０によって放射されることが予期されるとき、トリガ時間ウィンドウ２０８は所定の時間の期間に対応する。特定の単純な用途において「ウィンドウ」が全分析期間に続くように処理され得るので、トリガ時間または走査ウィンドウのデータ２０８が要件ではないことも理解されるべきである。
【００３１】
図３Ａに例示されるのは、データ記憶装置１７に格納され得るような確認データセット３００の代表的な例である。各確認データセット３００は、少なくとも１つの確認エントリ３０２を含み、各確認エントリ３０２は、少なくとも１つのｍ／ｚ値であって、そのようなｍ／ｚ値の各々は指定された確認イオン３０４に対応する、少なくとも１つのｍ／ｚ値と、少なくとも１つのｍ／ｚ値であって、そのようなｍ／ｚ値の各々は指定された確認イオンフラグメント３０６に対応する、少なくとも１つのｍ／ｚ値とを含む。各確認エントリ３０２はまた、確認時間ウィンドウ３０８に対応するタイミングデータを含み得る。例示の確認タイミングウィンドウデータ３０８は、走査時間の継続時間（例えば、５秒）に対応する。下記の考察の文脈において理解されるように、いくつかの例において、溶離期間の開始時間は不確かであり得るが、溶離期間の継続時間はしばしば、より高い精度で推定されるかまたは知られ得る。その結果、関心のある検体に対応するＬＣピークの立ち上がりエッジが下記に考察される方法に従って検出されると、システム１０は、予期される溶離期間の継続時間に確認イオン３０４に対して走査し得る。
【００３２】
各確認データエントリ３０２はまた、トリガデータ２００において確認データ識別子２１０に対応する固有の確認識別子３１０を含む。
【００３３】
代替の実施形態（図示されていない）において、確認時間ウィンドウデータ３０８は、対応するトリガ時間ウィンドウ２０８期間と調和し得る。そのような例において、確認時間ウィンドウデータ３０８は確認データセット３００に格納される必要がなく、対応するトリガ時間ウィンドウ２０８データは必要に応じＣＰＵ１２によって用いられ得る。
【００３４】
図３Ｂに例示されるのは、データ記憶装置１７に格納され得るような代替の確認データセット３００Ｂの代表的な例である。代替の確認データセット３００Ｂは、概して確認データセット３００に対応し、少なくとも１つの確認エントリ３０２を含み、各確認エントリ３０２は、少なくとも１つのｍ／ｚ値であって、そのようなｍ／ｚ値の各々は指定された確認イオン３０４に対応する、少なくとも１つのｍ／ｚ値と、少なくとも１つのｍ／ｚ値であって、そのようなｍ／ｚ値の各々は指定された確認イオンフラグメント３０６に対応する、少なくとも１つのｍ／ｚ値とを含む。各確認エントリ３０２はまた、確認時間ウィンドウ遅延３０８Ｂに対応するタイミングデータを含み得る。
【００３５】
理解されるように、認定データが所望される（すなわち、関心のある特定の検体の存在に関する決定）プロテオミクスなどの特定の分析用途において、単一の走査（または限定された数の走査）を行い、確認イオン３０４および確認イオンフラグメント３０６の存在を確認することが有利であり得る。理解されるように、例えば、トリガイオン２０４は、関心のある検体に対応するＬＣピークの立ち上がりエッジにおいてたぶん検出されるであろうが、対応する確認イオン３０４およびフラグメント３０６の走査は、確認時間ウィンドウ遅延３０８Ｂによって遅延させられ得、予期されるＬＣピーク頂点に対応し得る。
【００３６】
ここで図４Ａを見ると、そこに例示されるのは、分析中の第１の時に、この例では分析期間の開始時または分析期間の開始近くでデータ記憶装置１７に格納され得るようなデューティサイクルリスティング４００の代表的な例である。デューティサイクルリスティング４００における各デューティサイクルエントリ４０２は、指定された前駆イオン４０４に対応するｍ／ｚデータと、対応する走査ウィンドウ時間フレーム４０８と共に、指定されたイオンフラグメント４０６に対応するｍ／ｚ値とを含む。図４Ｂに例示されるのは、分析中の第２の時に、例えば分析期間の開始の約８秒後にデータ記憶装置１７に格納され得るようなデューティサイクルリスティング４００’の代表的な例である。
【００３７】
理解されるように、動作時、ＣＰＵ  １２／ＭＲＭトリガエンジン１４は、トリガデータセット２００および確認データセット３００に応答する。より詳細に下記に考察されるように、トリガエンジン１４は、ＭＲＭ分析中、デューティサイクルリスト４００を管理するように構成されており、その結果、分析期間中、指定された前駆イオン４０４およびイオンフラグメント４０６カプレット４０２は、トリガ２００および確認３００データセット、ならびに検出器２２から受信されたデータに基づいて、時間の経過と共に、デューティサイクルリスト４００に追加され、そしてデューティサイクルリスト４００から除去される。同様に、トリガエンジン１４は、デューティサイクルリスティング４００においてイオン／フラグメントカプレット４０４、４０６を利用し、質量分析計Ｑ１およびＱ３の動作を調節し、対応する前駆イオン４０４および確認イオンフラグメント４０６にフィルタをかける。
【００３８】
図５は、全体的に５００として参照され、分析期間中、分析計システム１０によって実行される方法のステップを説明する。典型的には、分析期間が開始される前に、関心のある検体が決定される（その検体に対して試料が分析される）（ブロック５０２）。上記のように、関心のある各検体に関して、１つ以上のカプレットであって、各カプレットは、指定された前駆イオン２０４と、対応する指定されたイオンフラグメント２０６とを備えている、１つ以上のカプレットは、トリガデータセット２００におけるトリガエントリ２０２に格納され得る。対応するトリガ時間ウィンドウ２０８もまた、決定されそして格納される（ブロック５０４）。
【００３９】
確認データセット３００もまた、決定されそしてデータ記憶装置１７に格納される（ブロック５０６）。理解されるように、典型的には、一イオンは複数のイオンフラグメントにフラグメント化する。従って、多くの場合、トリガカプレット２０２に対応する確認データカプレット３０２は、同じ前駆イオン２０４、３０４を共有する。
【００４０】
理解されるように、トリガデータ２００（対応するトリガ時間ウィンドウ２０８と共に、指定された前駆イオン２０４および指定されたイオンフラグメント２０６）および関心のある多数の検体に対する関係のある確認データ３００は、事前に計算され、データのライブラリとしてデータ記憶装置１７に格納され得、単純に索引を付けられ、ユーザ、およびＩ／Ｏデバイス１６を利用するＣＰＵ１２によって検索され得る。
【００４１】
デューティサイクルリスト４００は、開始され、トリガデータ２００からの指定された前駆イオン２０４および指定されたイオンフラグメント２０６カプレット４０２によって占有され、トリガデータ２００は、分析期間を開始するか、または分析期間の開始と同時に起るトリガ時間ウィンドウ２０８を有する。図４Ａは、分析期間の開始時に存在し得るような例示のデューティサイクルリスト４００を示す。ユーザは、次いで、典型的には分析期間を開始する命令を入力し（典型的にはＩ／Ｏデバイス１６によって）、トリガエンジン１４は、その命令を受信すると分析期間を開始するようにプログラムされている（ブロック５１０）。
【００４２】
分析期間が開始されたとき、イオン源２０は、試料２１からイオンを放射することを開始するように起動される（これは、上記に概説されたＬＣフェーズの開始であり得る）(ブロック５１２）。理解されるように、試料の化合物は、例えば被験者から取られた体液を含み得、その体液は、しばしば、関心のある薬品代謝産物および被験者からの無関係の内生イオンの両方を含む。
【００４３】
システム１０は次いで、デューティサイクルリスティング４００にリストされる指定された前駆イオン４０４のための放射イオンに選択可能にフィルタをかけるように構成されている（ブロック５１４）。理解されるように、デューティサイクルリスティング４００にリストされる前駆イオン４０４のうちの少なくとも１つ（ほとんどではないとしても）（および指定されたイオンフラグメント４０６）は、トリガデータ２００におけるトリガイオン２０４（およびトリガイオンフラグメント２０６）に対応する。点線５３０によって示されるように、ＣＰＵ１２／トリガエンジン１４は、デューティサイクルリスティング上の指定された前駆イオン４０４を通って速やかにかつ繰返して循環するようにプログラムされ、指定された前駆イオン４０４のためにイオン源２０から受信されたイオンにロッドセットＱ１が選択可能にフィルタをかけるようにさせる。
【００４４】
フィルタのかけられたイオン４０４（これは、上記のように少なくとも１つのトリガイオン２０４を含む）は次いで、フラグメント化モジュール／ロッドセットＱ２によって受信され、フラグメント化される（ブロック５１６）。フラグメントは次いで、Ｑ３ロッドセットによって受信され、Ｑ３ロッドセットは、デューティサイクルリスティング４００における指定されたイオンフラグメント４０６に対して走査するか、または該イオンフラグメント４０６にフィルタをかけるようにトリガエンジン１４によって制御される（ブロック５１８）。そのような指定されたイオンフラグメント４０６は（もしあれば）、検出器２２に衝突することが可能となる。理解されるように、ブロック５１４〜５１８のフィルタリング、フラグメント化およびフィルタリングステップは、典型的にはすべて、デューティサイクルリスト４００におけるトリガエンジン１４の次のカプレット４０２への循環の前に、１つのイオン／フラグメントカプレット４０２に対して行われる。
【００４５】
検出器２２が指定されたトリガイオンフラグメント２０６を検出する場合（ブロック５２２）、トリガエンジン１４は、システム１０が少なくとも１つの確認イオンフラグメントに対して走査するようにプログラムされ得る。理解されるように、特定の閾値は、トリガイオンフラグメント２０６を「検出する」ように事前に決定され得、特定量のトリガイオンフラグメント２０６は、トリガイオインフラグメント２０６が「検出された」と考えられるようにするために検出されなければならない。同様に、トリガエントリ２０２における複数のトリガイオン２０４／フラグメント２０６カプレットが「検出」されなければならない場合、トリガエンジン１４は、システム１０が確認イオンフラグメントに対して走査する前に、そのような複数のトリガイオン２０４／フラグメント２０６カプレットが検出されたことを決定するようにプログラムされ得る。
【００４６】
トリガエンジン１４は、指定されたトリガイオンフラグメント２０６（および指定されたトリガイオン２０４）に対応する確認エントリ識別子２１０を決定し、デューティサイクルリスティング４００に、（整合識別子２１０、３１０によってリンクされた）確認イオン３０４および確認イオンフラグメント３０６の１つ以上の対応する確認カプレット３０２を追加し、デューティサイクルリスティング４００に追加される走査ウィンドウデータ４０８を計算するかまたはさもなければ決定する(ブロック５２４）。再び図４Ａおよび図４Ｂを簡単に参照すると、指定されたイオン２０４／指定されたトリガイオンフラグメント２０６カプレット２０２’が検出された後、例示のデータは、デューティサイクルリスティング４００、４００’の更新の例を提供する。（整合する確認識別子３１０、２１０を検出されたトリガカプレット２０２’と共有する）対応する確認エントリ３０２’における指定された確認イオン３０４および指定された確認イオンフラグメント３０６データは、計算されたトリガウィンドウデータ４０８と共に、エントリ４０２＊としてデューティサイクルリスティング４００’に追加された。追加されたエントリ４０２＊に対する例示の計算されたトリガウィンドウデータ４０８＊から分かり得るように、トリガエンジン１４は、分析期間の開始から約５秒でカプレット２０２’を検出し、理解されるように、対応する走査ウィンドウの継続時間３０８（この場合、３秒）の継続時間における５秒の検出時に開始するので、トリガウィンドウデータ４０８＊を計算し、結果として「５秒〜８秒」のエントリ４０８＊をもたらす。
【００４７】
時間が経過し、クロックモジュール１８によって追跡され得るように分析期間の時間が進むと、デューティサイクルリスティングが更新される（ブロック５２６）。分析期間が様々なトリガ時間ウィンドウ２０８内に動くと、指定されたトリガイオン２０４およびイオンフラグメント２０６の対応するカプレット２０２は、デューティサイクルリスティング４００に追加される。同様に、分析期間の時間が様々なトリガ時間ウィンドウ４０８を越えて動くと、指定されたトリガイオン４０４およびイオンフラグメント４０６の対応するカプレット４０２は、デューティサイクルリスティング４００から除去される。
【００４８】
理解されるように、ブロック５２６において実行される更新中、トリガ時間ウィンドウ４０８が通過して、指定されたトリガイオン２０４、４０４およびイオンフラグメント２０６、４０６の対応するカプレット２０２、４０２がデューティサイクルリスティング４００から除去されたとき、同様に、確認イオン３０４、４０４およびイオンフラグメント３０６、４０６の対応するカプレット３０２は、デューティサイクルリスティング４００から除去される。プロセスは、分析期間が完了し、イオン放射が終了するまで、様々なステップ５１４〜５２６を通して循環する。
【００４９】
従って、例えば、図４Ａおよび図４Ｂの両方を参照することによって、分析期間の開始時または分析期間の開始近くのデューティサイクルリスティング４００を例示的データの分析期間内約７秒であるように見えるデューティサイクルリスティング４００’と比較することが可能である。見られ得るように、４０２”’によって指し示されるイオン／フラグメントカプレットの走査ウィンドウ４０８は通過したので、このカプレット４０２”’は、デューティサイクルリスティング４００’から除去された。同様に、分析時間がトリガデータセット２００においてイオン／フラグメントカプレット２０２”に対してトリガまたは走査ウィンドウ２０８の範囲の中に動くと、そのような対応するカプレット４０２”がデューティサイクルリスティング４００’に追加された。理解されるように、ブロック５２６の更新ステップは、トリガまたは走査ウィンドウを含まない用途においては不要である。
【００５０】
理解されるように、制御器１２は、様々な指定されたイオン／フラグメントカプレットの量および従って関心のある対応する検体の有無を識別する報告を作成し得る(ブロック５２８）。理解されるように、確認カプレット３０２の量は、対応するトリガカプレット２０２の量に近似し、対応する関心のある検体の量および存在の両方を確認する。
【００５１】
従って、本明細書において示されかつ説明されるものは本発明の好ましい実施形態を構成するが、本発明から逸脱することなく様々な変更がなされ得、本発明の範囲が添付の特許請求の範囲において定義されることは、理解されるべきである。
【図１】
0005579161.tif 000002
【図２】
0005579161.tif 000003
【図３Ａ】
0005579161.tif 000004
【図３Ｂ】
0005579161.tif 000005
【図４Ａ】
0005579161.tif 000006
【図４Ｂ】
0005579161.tif 000007
【図５】
0005579161.tif 000008